(57)【特許請求の範囲】
【請求項１】
断面略コ字状に形成された基枠体の正面側が取付板とされ、該基枠体の正面視左側が支持板とされ、該支持板に沿って施錠杆が摺動可能に配設され、該施錠杆の上部と下部に鉤部が背面側に突出すように形成され、該基枠体の該取付板の正面視左側に突設された補助取付板にシリンダ錠が正面側に突出して取り付けられ、該シリンダ錠の錠軸に該施錠杆と係合可能なカム部材が固定され、該基枠体がゲーム機の前扉の正面視右側の自由端側に縦に取り付けられ、該ゲーム機の本体枠側に取り付けた受け金具の係止部に該鉤部が係止されて前扉を施錠する施錠装置であって、
該基枠体の正面視右側は、正面側の該取付板の延設部を背面側に直角に曲折して防護壁部として形成され、
該施錠杆に揺動ロック部材が揺動可能に枢支され、該揺動ロック部材には、該カム部材が係合する係合部が設けられると共に、該施錠杆の解錠側への移動を阻止するための係合凸部が設けられ、
該受け金具の係止部に係合可能な傾斜係合部を有した摺動ロック部材が、該施錠杆の長手方向に沿って摺動可能に配設され、
該施錠杆、該揺動ロック部材、該摺動ロック部材及び該カム部材が、前記支持板の正面視左側に配設され、
該基枠体側には、該揺動ロック部材の該係合凸部に係合して該施錠杆の解錠側への移動を阻止する固定係止部が設けられ、
該摺動ロック部材には、該揺動ロック部材の該係合凸部に係合して該揺動ロック部材を揺動させると共に、該係合凸部と該固定係止部の係合を外して該施錠杆の解錠側への移動を可能とするための先端係合部が設けられ、
該前扉を閉鎖して該施錠杆の鉤部を該受け金具の係止部に係止させて施錠したとき、該揺動ロック部材の該係合凸部が該固定係止部に係止されて該施錠杆の解錠方向への移動が阻止され、解錠時に該カム部材が解錠側に回動したとき、該揺動ロック部材が揺動して該係合凸部と該固定係止部との係合を外してロックを解除することを特徴とするゲーム機の施錠装置。
【発明の詳細な説明】
【技術分野】
【０００１】
本発明は、スロットマシン、パチンコ機などゲーム機の前扉の内側に取り付けられ、前扉を本体枠（キャビネット）に対し施錠する施錠装置に関する。
【背景技術】
【０００２】
ゲーム機の前扉を本体枠に対し施錠する施錠装置として、断面Ｌ字状またはコ字状の取付板と支持板を有した長尺の基枠体内に、連結杆が摺動可能に配設され、支持板の上部と下部に鉤部材が連結杆に連結されて傾動可能に枢支され、取付板の中間部にシリンダ錠がその錠軸を取付板に設けた孔から内側に差し込むように固定され、錠軸の先端に連結杆と係合するカム板が固定された構造の施錠装置が、広く使用されている。
【０００３】
この種の施錠装置は、シリンダ錠の錠軸をキーにより回すことにより、カム板を回動させ、カム板に係合する連結杆を上下に摺動させ、これにより、連結杆の上下端に連結される鉤部材を傾動させ、鉤部材の受け金具との係合を外して解錠する構造である。しかしながら、施錠状態つまり鉤部材が受け金具と係合した状態であっても、鉤部材に直接力を加えて動かせば、それを傾動させることができるため、ゲーム機の前扉の自由端側と本体枠との間に隙間が生じた場合、その隙間から針金などの不正器具を差し込み、不正器具により鉤部材又は連結杆に直接力を加えてそれらを動かすと、キーを用いずに前扉が不正に解錠される可能性があった。
【０００４】
そこで、下記特許文献１などにおいて、施錠完了時に連結杆の動きをロックするために、係合部材とクラッチ部材を連結杆に揺動可能に枢支して配設し、施錠状態において、係合部材の一部を連結杆に係合させて、連結杆の解錠方向への動きをロックし、解除時にはその係合部材の係合を解除して解錠を可能とする施錠装置が提案されている。
【特許文献１】特開２００１−３８０２６号公報
【発明の開示】
【発明が解決しようとする課題】
【０００５】
上記施錠装置は、基枠体内にはね出しプレートをカム部材に係合して摺動可能に配設し、さらに係合部材とクラッチ部材という２個の部材を揺動可能に連結杆に枢着させて構成されている。そして、前扉の閉鎖時には、鉤部材の傾動動作と共に、これらの２つの係合部材とクラッチ部材を揺動させながら、施錠位置に連結杆を移動させて施錠し、キーによる解錠動作時には、カム部材の回動によってはね出しプレートを押下げて、係合部材、クラッチ部材及び連結杆を解錠方向に移動させて解錠し、前扉が完全に閉鎖された施錠状態において、係合部材の係合片によって連結杆の移動をロックし、不正解錠を防止しようとするものであった。
【０００６】
しかしながら、不正解錠防止装置として、はね出しプレート、係合部材、及びクラッチ部材を基枠体内に、連結杆に対し軸支して取り付けることとなるため、また、部品点数が比較的多く、複雑な構造の部品を、各部材の係合を調整しながら組み付ける必要があって、組み付け工数も多くなるという課題があった。さらに、前扉の内側に、その閉鎖時に係合部材を押し込むための部材とその部材の所定位置への取付作業が必要となるなどの課題があった。
【０００７】
本発明は、上述の課題を解決するものであり、スムーズに施錠と解錠を行なうことができると共に、針金などの不正器具を差し込んで行う不正解錠を効果的に防止することができるゲーム機の施錠装置を提供することを目的とする。
【課題を解決するための手段】
【０００８】
上記目的を達成するために、本発明のゲーム機の施錠装置は、
断面略コ字状に形成された基枠体の正面側が取付板とされ、該基枠体の正面視左側が支持板とされ、該支持板に沿って施錠杆が摺動可能に配設され、該施錠杆の上部と下部に鉤部が背面側に突出すように形成され、該基枠体の該取付板の正面視左側に突設された補助取付板にシリンダ錠が正面側に突出して取り付けられ、該シリンダ錠の錠軸に該施錠杆と係合可能なカム部材が固定され、該基枠体がゲーム機の前扉の正面視右側の自由端側に縦に取り付けられ、該ゲーム機の本体枠側に取り付けた受け金具の係止部に該鉤部が係止されて前扉を施錠する施錠装置であって、
該基枠体の正面視右側は、正面側の該取付板の延設部を背面側に直角に曲折して防護壁部として形成され、
該施錠杆に揺動ロック部材が揺動可能に枢支され、該揺動ロック部材には、該カム部材が係合する係合部が設けられると共に、該施錠杆の解錠側への移動を阻止するための係合凸部が設けられ、
該受け金具の係止部に係合可能な傾斜係合部を有した摺動ロック部材が、該施錠杆の長手方向に沿って摺動可能に配設され、
該施錠杆、該揺動ロック部材、該摺動ロック部材及び該カム部材が、前記支持板の正面視左側に配設され、
該基枠体側には、該揺動ロック部材の該係合凸部に係合して該施錠杆の解錠側への移動を阻止する固定係止部が設けられ、
該摺動ロック部材には、該揺動ロック部材の該係合凸部に係合して該揺動ロック部材を揺動させると共に、該係合凸部と該固定係止部の係合を外して該施錠杆の解錠側への移動を可能とするための先端係合部が設けられ、
該前扉を閉鎖して該施錠杆の鉤部を該受け金具の係止部に係止させて施錠したとき、該揺動ロック部材の該係合凸部が該固定係止部に係止されて該施錠杆の解錠方向への移動が阻止され、解錠時に該カム部材が解錠側に回動したとき、該揺動ロック部材が揺動して該係合凸部と該固定係止部との係合を外してロックを解除することを特徴とする。
【発明の効果】
【００１１】
上記構成の施錠装置によれば、前扉を閉鎖し施錠した状態では、揺動ロック部材の係合凸部が基枠体側の固定係止部に係合すると共に、揺動ロック部材が枢支された施錠杆の解錠方向への移動をロックするから、施錠状態において、前扉と本体枠の隙間から差し込まれた針金などの不正器具により、施錠杆を解錠側に無理やり移動させようとしても、施錠杆を移動させることはできず、不正解錠を防止することができる。
【００１２】
さらに、施錠杆、揺動ロック部材、摺動ロック部材及びカム部材を、支持板の正面視左側に配設しているので、前扉の自由端側（正面視右端）に取り付けられる施錠装置にとって、前扉の自由端と本体枠間の隙間から挿入される不正器具に対し支持板が防護壁となり、施錠杆などに不正器具を到達させることが難しく、不正解錠を防止することができる。
【００１３】
さらに、基枠体を断面略コ字状に形成することにより、基枠体の正面視右側を防護壁部とし、基枠体の正面視左側の支持板も防護壁となるので、前扉の自由端側（正面視右端）に取り付けられる施錠装置にとって、前扉の自由端と本体枠間の隙間から挿入された不正器具に対し、二重の防護壁となり、施錠杆などに不正器具を到達させることが難しく、不正解錠を防止することができる。
【発明を実施するための最良の形態】
【００１４】
以下、本発明の一実施形態を図面に基づいて説明する。図１は本発明を、スロットマシンの下前扉の施錠具として適用した施錠装置の右側面図を、図２はその左側面図を、図３はその背面図を示し、図４はその斜視図を示している。
【００１５】
この下前扉用施錠具としての施錠装置は基本フレームとして基枠体３を有し、基枠体３は、断面略コ字形の略チャンネル状に形成され、その正面側は平坦な取付板１として形成され、取付板１の左側面を背面側に直角に曲折して支持板２が形成され、取付板１の右側には同様に背面側に直角に曲折して防護壁部４が形成されている。取付板１の上部寄りには、シリンダ錠５を取り付けるための補助取付板１ａが正面視で左側に突き出して取付板１に固定されている。
【００１６】
このように、シリンダ錠５用の補助取付板１ａを、基枠体３の正面視左側に配置し、後述のカム部材６、施錠杆７、揺動ロック部材８、摺動ロック部材９をその正面視左側に設けることにより、前扉の自由端（正面視右端）に取り付けられる基枠体の左端部を、本体枠と前扉間の自由端側の隙間から離れた位置に配置している。これにより、その間に防護壁部４と支持板２を防護壁として形成し、隙間から挿入される可能性のある針金などの不正器具が、後述のカム部材６、施錠杆７、揺動ロック部材８、摺動ロック部材９に到達しにくくしている。
【００１７】
その補助取付板１ａにはシリンダ錠５の嵌挿用の孔が形成され、その孔にフランジ５ｂ付きのシリンダ錠５がその錠軸５ａを内側に挿入するように嵌挿され、フランジ５ｂを補助取付板１ａにねじ止めしてシリンダ錠５は正面側に突出すように固定される。図３のように、錠軸５ａの先端に、第１係合凸部６ａと第２係合凸部６ｂを有したカム部材６が固定される。カム部材６に形成された第１係合凸部６ａは、カム部材６の回動時に、後述の揺動ロック部材８と施錠杆７の係合部７ｄに係合し、第２係合凸部６ｂはスイッチ作動杆１０の係合部１０ａに係合可能であり、揺動ロック部材８はカム部材６により揺動し、スイッチ作動杆１０はカム部材６により摺動する。
【００１８】
基枠体３の支持板２における正面視で左側に、施錠杆７がその支持板２に沿って摺動可能に取り付けられている。図５に示すように、施錠杆７の上端寄りとその下端部にフック状の鉤部１１，１２が背面側に突出すように形成されている。この鉤部１１，１２の頭部傾斜面と係止部は上方に向けて形成され、施錠時には施錠杆７が受け金具３５の係止部３６，３７に接触して一旦下方に摺動した後、鉤部１１，１２は上方に戻って後述の受け金具３５の係止部３６，３７に係止され、施錠される。施錠杆７には、鉤部１１，１２の付け根部分及び上端部にガイド孔７ａ〜７ｃが形成され、それらのガイド孔７ａ〜７ｃにガイドピン１７ａ〜１７ｃが挿入されてその先端が支持板２に固定される。これにより、施錠杆７は所定の範囲でその摺動をガイドされ、上下に摺動可能である。また、施錠杆７の上部には、カム部材６の第１係合凸部６ａが係合する係合部７ｄが正面側に突設されている。
【００１９】
施錠杆７の上端寄りの左側面に、揺動ロック部材８が軸ピン８ｄによって揺動可能に軸支される。この揺動ロック部材８は、施錠状態における施錠杆７の解錠側への移動をロックするための部材であり、そこにはガイド孔８ｃが縦方向に形成され、ガイド孔８ｃに上記ガイドピン１７ａが挿通され、これにより、カム部材６との係合時に所定の角度範囲内で揺動可能とされる。揺動ロック部材８の上部には、カム部材６の第１係合凸部６ａと係合可能な係合部８ａが形成され、さらに、その下部には固定係止部１８及び摺動ロック部材９の先端係合部９ａと係合する係合凸部８ｂが設けられる。固定係止部１８は基枠体３の補助取付板１ａの下方に背面側に突出して設けられている。
【００２０】
さらに、揺動ロック部材８の下側位置に、摺動ロック部材９が施錠杆７の左側面に添って上下摺動可能に取り付けられる。この摺動ロック部材９は、施錠の際に施錠杆７が摺動するとき、揺動ロック部材８の係合凸部８ｂと固定係止部１８の係合を解除するように、揺動ロック部材８を揺動させるために配設される。このために、摺動ロック部材９は、図５に示すように、上端に揺動ロック部材８の係合凸部８ｂに係合する先端係合部９ａを設け、背面側の上部に、後述のキャビネット３０側の受け金具３５の係止部３６に接触し且つ係合する傾斜係合部９ｂを設けて形成される。また、摺動ロック部材９にはガイド孔９ｃ、９ｄが縦方向に形成され、ガイド孔９ｃ、９ｄにガイドピン１９ａ、１９ｂが挿通され、これにより、所定の角度範囲内で上下に摺動する。
【００２１】
また、下前扉を閉じて施錠する際、下前扉側の受け金具３５の係止部３６が傾斜係合部９ｂに接触しながら、この摺動ロック部材９を押下げ、閉鎖状態になったとき、揺動ロック部材８は、固定係止部１８に係止されて施錠杆７をロック状態とする。また、摺動ロック部材９と揺動ロック部材８間にはコイルばね１５が掛け渡されて摺動ロック部材９は上側に付勢され、揺動ロック部材８はロック位置側に付勢されている。
【００２２】
さらに、施錠杆７と摺動ロック部材９の間で且つ揺動ロック部材８の正面側には、スイッチ作動杆１０が上下摺動可能に配設される。このスイッチ作動杆１０は、スロットマシンのリセット用の非接触スイッチＳ１を動作させるための部材で、施錠杆７との間にコイルばね１６が掛け渡される。このコイルばね１６により、施錠杆７は常にその鉤部１１，１２を係止させる側に付勢され、スイッチ作動杆１０は常に下方の非作動側に付勢されている。
【００２３】
図５に示すように、スイッチ作動杆１０には、ガイド孔１０ｃ、１０ｄが縦方向に形成され、そこに上記のガイドピン１９ａ、１９ｂが挿入され、所定の範囲で上下に摺動するように支持されている。スイッチ作動杆１０の上端部にカム部材６の第２係合凸部６ｂと係合する係合部１０ｂが設けられ、カム部材６がシリンダ錠５によって図３の時計方向に回動されたとき、第２係合凸部６ｂが係合部１０ｂに係合してスイッチ作動杆１０を上方に摺動させる。スイッチ作動杆１０の中間部には、左側面に突出すように、作動片１０ａが突設され、その作動片１０ａが非接触スイッチＳ１をオンオフ動作させる。非接触スイッチＳ１は、図２，３に示すように、取付板１の補助取付板１ａの下方に取り付けられる。
【００２４】
なお、シリンダ錠５は円筒部を有した長尺の錠として形成され、シリンダ錠５の先端が下前扉３１の正面側に露出して位置するようにしている。また、支持板２の中間部に形成した幅広部に、支持ローラ１４が回転自在に軸支され、この支持ローラ１４は下前扉３１の閉鎖時に、キャビネット３０側に取付けられた受け金具３５の滑り板３８上にのり上げ、下前扉３１を持ち上げるように動作し、開閉動作を容易にする。
【００２５】
また、支持ローラ１４の上方の支持板２には、直角に曲折する形態で、下前扉３１の開閉を電気的に検出する非接触スイッチＳ２のための被検出部１３が支持板２と一体的に形成され、受け金具３５には、その被検出部１３に対応した位置に、近接スイッチなどの非接触スイッチＳ２が取り付けられる。
【００２６】
本施錠装置は、スロットマシンの下前扉用施錠具として、図８に示すように、スロットマシンにおける下前扉３１の自由端側（正面視で右端）の内側に、その基枠体３の取付板１を固定ねじなどで固定して縦に装着される。シリンダ錠５は下前扉３１内を貫通し、その先端が下前扉の前面に露出する。
【００２７】
この状態で、下前扉３１の自由端側の端部に取り付けられた施錠装置は、その基枠体３の防護壁部４が下前扉３１の自由端の端部側に位置し、施錠杆７、揺動ロック部材８、及び摺動ロック部材９が下前扉３１の反自由端側に位置することになる。また、下前扉３１の自由端側とキャビネット３０の隙間に近い施錠装置の部分が防護壁部４によりガードされることになる。
【００２８】
このため、針金などの不正器具を下前扉の自由端側とキャビネットの隙間から差し込んで、不正解錠を行なおうとしても、防護壁部４と支持板２によって針金などの進入が阻止され、施錠杆７、揺動ロック部材８、摺動ロック部材９まで不正器具を到達させることができず、不正解錠を防止することができる。
【００２９】
一方、キャビネット３０側には、図７に示すような受け金具３５が固定される。この受け金具３５は、上下の鉤部１１，１２に対応した位置の上部と下部に、係止部３６、３７を設けて形成され、受け金具３５の中間部には上記支持ローラ１４が乗り上げる滑り板３８が設けられる。また、滑り板３８の上方には、上記支持板２の被検出部１３を閉鎖時に検出する近接スイッチなどの非接触スイッチＳ２が取り付けられる。
【００３０】
キャビネット３０に対し下前扉３１を閉じると、図８、図９に示すように、受け金具３５の係止部３６，３７の縁部が、先ず摺動ロック部材９の傾斜係合部９ｂに接触して、これを押下げ、これにより、摺動ロック部材９の先端係合部９ａが揺動ロック部材８の係合凸部８ｂを外側に動かす。これによって、係合凸部８ｂの固定係止部１８に対する係合が外れ、揺動ロック部材８を含む施錠杆７は下方に移動可能となる。
【００３１】
そしてさらに、受け金具の係止部３６が施錠杆７の鉤部１１，１２の傾斜面に接触することにより、施錠杆７が押下げられ、鉤部１１，１２の凹部に係止部３６，３７が進入したとき、施錠杆７がコイルばね１６の付勢力により上方に移動し、鉤部１１，１２が係止部３６，３７に完全に係止され、施錠状態となる。このとき、同様に摺動ロック部材９の傾斜係合部９ｂが係止部３６の縁部により、コイルばね１５の付勢力に抗して押下げられ、摺動ロック部材９が下限まで移動したとき、傾斜係合部９ｂの上端が係止部３６の下縁部に係止され、先端係合部９ａが揺動ロック部材８の係合凸部８ｂに係合し、図１０に示すように、摺動ロック部材９は押下げられた状態で停止する。
【００３２】
この状態で、施錠状態となるが、図１０の如く、揺動ロック部材８の係合凸部８ｂが固定係止部１８の縁部に係合し、揺動ロック部材８の下方への移動を阻止する。揺動ロック部材８は施錠杆７に対して軸支され、施錠杆７と共に移動するため、施錠杆７は解錠方向である下方へ移動がロックされる。したがって、針金などの不正器具を下前扉３１の自由端側とキャビネット３０の隙間から差し込んで、施錠杆７を解錠方向である下方に移動させようとしても、施錠杆７は、揺動ロック部材８と固定係止部１８との係合によって、下方に移動することができず、不正解錠は防止される。
【００３３】
一方、施錠装置を解錠する場合、キーをシリンダ錠５に差し込み右に回すと、錠軸５ａに固定されたカム部材６が同方向に回動し、カム部材６の第１係合凸部６ａが図１１のように、揺動ロック部材８の係合部８ａを押下げ、僅かに図１１の時計方向に回動させる。これにより、揺動ロック部材８の係合凸部８ｂが、固定係止部１８の係合位置から外れると共に、摺動ロック部材９の先端係合部９ａを係止する位置から外側に外れる。これによって、揺動ロック部材８及び施錠杆７が下方に移動可能な状態となる。
【００３４】
そして、さらにキーを右に回すと、カム部材６がさらに回動し、カム部材６の第１係合凸部６ａが施錠杆７の係合部７ｄに係合して、図１２のように、施錠杆７を押下げる。この結果、図１２のように、施錠杆７の鉤部１１，１２が下方に移動して、受け金具３５の係止部３６，３７との係合が外れて解錠され、図１３のように、受け金具３５の係止部３６，３７が施錠装置から離れ、下前扉３１が開放される。
【００３５】
またこのとき、摺動ロック部材９の先端係合部９ａと揺動ロック部材８の係合凸部８ｂとの係合は外れており、図１３のように、摺動ロック部材８はコイルばね１５の付勢力により上方に付勢されて移動する。これにより、摺動ロック部材９の上端の先端係合部９ａは、揺動ロック部材８の係合凸部８ｂを越えて上方に達する。
【００３６】
この後、キーによる錠軸５ａの回動操作が終了し、キーが元の位置に戻され、錠軸５ａとカム部材６が元の位置、つまり第１係合凸部６ａが揺動ロック部材８と施錠杆７から離れた位置に戻ると、揺動ロック部材８は、コイルばね１５の付勢力により、図１４のように、反時計方向に僅かに回動し、元の位置つまり図１５の状態に戻り、解錠動作が終了する。
【００３７】
図１５の状態は、開放されたときの施錠装置の状態であり、この状態で、再び下前扉３１を閉じると、上述のように、先ず、受け金具３５の係止部３６により、摺動ロック部材９の傾斜係合部９ｂが、コイルばね１５の付勢力に抗して押下げされ、このとき、摺動ロック部材９の先端係合部９ａが揺動ロック部材８の係合凸部８ｂに作用して、揺動ロック部材８を図１１のようにその時計方向に回動させ、これにより、係合凸部８ｂと固定係止部１８との係合が解除される。このため、施錠杆７は下方への移動が可能となり、さらに受け金具３５の係止部３６，３７の縁部が施錠杆７の鉤部１１，１２の傾斜面に接触して、施錠杆７が押下げられる。そして、鉤部１１，１２の凹部に係止部３６，３７が進入して、コイルばね１５の付勢力により施錠杆７が施錠位置に戻ることにより、鉤部１１，１２が係止部３６，３７に完全に係止され、施錠状態となる。
【００３８】
一方、キーをシリンダ錠５に差し込み左に回すと、錠軸５ａに固定されたカム部材６が同方向に回動し、カム部材６の第２係合凸部６ｂがスイッチ作動杆１０の上端の係合部１０ｂに係合して、これを上方に摺動させる。このとき、スイッチ作動杆１０の作動片１０ａが上方に移動して、非接触スイッチＳ１に作用し、非接触スイッチＳ１がスイッチング動作し、リセット信号などが出力される。
【００３９】
このように、施錠状態においては、施錠杆７が、揺動ロック部材８の係合凸部８ｂが固定係止部１８の縁部に当接して、解錠方向への移動がロックされ、針金などの不正器具を用いた不正解錠は防止されると共に、キーとシリンダ錠５を使用した解錠操作は、円滑に行なうことができる。また、キャビネット３０側の受け金具３５などにおいては、施錠杆７の鉤部１１，１２を係止させるのみで、特別な嵌合部や係止部分を設ける必要がないなどの利点がある。
【００４０】
なお、上記では本発明をスロットマシンの下前扉用施錠具に適用した例を説明したが、本発明は上記実施形態に限定されるものではなく、スロットマシンの前扉用施錠具、パチンコ機の前面枠・ガラス枠用施錠具などに適用することもできる。
【図面の簡単な説明】
【００４１】
【図１】本発明の一実施形態を示す施錠装置の右側面図である。
【図２】同施錠装置の左側面図である。
【図３】同施錠装置の背面図である。
【図４】同施錠装置の背面側からの斜視図である。
【図５】同施錠装置の分解右側面図である。
【図６】同施錠装置の分解背面図である。
【図７】受け金具の斜視図である。
【図８】使用状態を示す開放時の左側面図である。
【図９】使用状態を示す施錠時の左側面図である。
【図１０】施錠状態の部分拡大左側面図である。
【図１１】解錠動作時の部分拡大左側面図である。
【図１２】解錠動作時の部分拡大左側面図である。
【図１３】解錠動作時の部分拡大左側面図である。
【図１４】解錠動作時の部分拡大左側面図である。
【図１５】解錠状態の部分拡大左側面図である。
【符号の説明】
【００４２】
１  取付板
２  支持板
３  基枠体
４  防護壁部
５  シリンダ錠
６  カム部材
７  施錠杆
８  揺動ロック部材
９  摺動ロック部材
１１、１２  鉤部
【図１】
0004707551.tif 000002
【図２】
0004707551.tif 000003
【図３】
0004707551.tif 000004
【図４】
0004707551.tif 000005
【図５】
0004707551.tif 000006
【図６】
0004707551.tif 000007
【図７】
0004707551.tif 000008
【図８】
0004707551.tif 000009
【図９】
0004707551.tif 000010
【図１０】
0004707551.tif 000011
【図１１】
0004707551.tif 000012
【図１２】
0004707551.tif 000013
【図１３】
0004707551.tif 000014
【図１４】
0004707551.tif 000015
【図１５】
0004707551.tif 000016